(57)【要約】      （修正有）【課題】歩行時に体重が、この履物の中敷の略外側縁部上を通って踵部から爪先部に向かって移動することを防止できると共に、歩行時の正常な体重移動を自然に行うことができ、例えばＯ脚、又はＯ脚になる傾向を矯正して正常な歩行姿勢に近づけることができる履物の中敷を提供する。【解決手段】履物内の底に装着され、踵部Ｋと土踏まず部Ｍと踏付け部Ｈとを有する中敷本体部１３と、踵部Ｋの内側部２４に設けられた第１荷重誘導部１４と、踏付け部Ｈに含まれる母趾球部Ｂに設けられた第２荷重誘導部１５とを備え、第１荷重誘導部１４は、中敷本体部１３よりも硬度が小さく、第２荷重誘導部１５は、第１荷重誘導部１４よりも硬度を小さくした構成。【選択図】図１
0003142602.tif 000002
【実用新案登録請求の範囲】
【請求項１】
履物内の底に装着され、踵部と土踏まず部と踏付け部とを有する中敷本体部と、
前記踵部の中心よりも内側の内側部に設けられた第1荷重誘導部と、
前記踏付け部に含まれる母趾球部に設けられた第２荷重誘導部とを備え、
前記第１荷重誘導部は、前記中敷本体部よりも硬度が小さく、
前記第２荷重誘導部は、前記第１荷重誘導部よりも硬度が小さいことを特徴とする履物の中敷。
【請求項２】
前記第１荷重誘導部の平面形状は、前記中敷本体部の外側縁部から内側縁部に向かうに従って広がる形状であり、
前記第２荷重誘導部の平面形状は、前記中敷本体部の長さ方向に長い略楕円形状であることを特徴とする請求項１記載の履物の中敷。
【請求項３】
前記第１荷重誘導部は、１１度〜１９度の硬度を有する合成樹脂製又は天然樹脂製であり、
前記第２荷重誘導部は、１度〜９度の硬度を有する合成樹脂製又は天然樹脂製であって、
前記中敷本体部は、４６度〜５４度の硬度を有する合成樹脂製であることを特徴とする請求項１又は２記載の履物の中敷。
【請求項４】
前記中敷本体部の外周縁部のうち踵側縁部、内側縁部、及び外側縁部に亘る範囲に形成された壁部を備え、
前記壁部は、平面形状が略Ｕ字状であり、足の踵、内甲、及び外甲の表面に沿うように斜め上方に向かって突出する踵側壁部、内側壁部、及び外側壁部を有し、前記内側壁部が前記外側壁部よりも前記中敷本体部の爪先部側に向かう方向に長く延びていることを特徴とする請求項１乃至３のいずれかに記載の履物の中敷。
【請求項５】
前記内側壁部は、前記第２荷重誘導部又はその手前まで延びていることを特徴とする請求項４記載の履物の中敷。
【請求項６】
前記中敷本体部の踏付け部の略中央部に設けられ、上方に突出する中足骨パッド部を備えることを特徴とする請求項１乃至５のいずれかに記載の履物の中敷。
【考案の詳細な説明】
【技術分野】
【０００１】
本考案は、靴等の履物内の底に装着して使用され、Ｏ脚、又はＯ脚になる傾向を矯正することができる履物の中敷に関する。
【背景技術】
【０００２】
従来より、Ｏ脚、又はＯ脚になる傾向を矯正するための履物の中敷の一例として、中敷の厚みを、内側部から外側部に向かうに従って大きくしたものがある。この中敷を例えば靴内の底に装着すると、中敷の上面が内側部から外側部に向かうに従って上昇する勾配を形成することができる。
【０００３】
これによって、この中敷が装着された靴を履くと、例えば両脚が左右外側に向かって湾曲したＯ脚のそれぞれの脚を、強制的に略垂直方向に向かうように矯正することができる。
【０００４】
また、このような履物の中敷とは別に、履物の底部の厚みを、内側部から外側部に向かうに従って大きくしたものもある（例えば、特許文献１参照。）。このような履物を履くとことによっても、Ｏ脚を矯正することができる。
【特許文献１】特開平０８−９８７０１号公報
【考案の開示】
【考案が解決しようとする課題】
【０００５】
しかし、上記従来の履物の中敷では、この中敷を履物に装着すると、中敷の上面が外側部から内側部に向かうに従って下降する勾配が形成されるので、この履物を履いた状態では、足が履物内の内側部に偏った状態となり、履き心地が好ましくなく歩行しずらい。
【０００６】
従って、このような履き心地が好ましくない状態で歩行すると、歩行時の正常な体重移動を自然に行うことができず、例えばＯ脚、又はＯ脚になる傾向を、長い時間を掛けて自然に矯正することができないと考えられる。そして、上記従来の履物も上記と同様の課題が存在する。
【０００７】
本考案は、上記のような課題を解決するためになされたものであり、歩行時に体重が、この履物の中敷の略外側縁部上を通って踵部から爪先部に向かって移動することを防止できると共に、歩行時の正常な体重移動を自然に行うことができ、例えばＯ脚、又はＯ脚になる傾向を矯正して正常な歩行姿勢に近づけることができる履物の中敷を提供することを目的としている。
【課題を解決するための手段】
【０００８】
本考案に係る履物の中敷は、履物内の底に装着され、踵部と土踏まず部と踏付け部とを有する中敷本体部と、前記踵部の中心よりも内側の内側部に設けられた第1荷重誘導部と、前記踏付け部に含まれる母趾球部に設けられた第２荷重誘導部とを備え、前記第１荷重誘導部は、前記中敷本体部よりも硬度が小さく、前記第２荷重誘導部は、前記第１荷重誘導部よりも硬度が小さいことを特徴とするものである。
【０００９】
この考案に係る履物の中敷は、履物内の底に装着して使用することができる。この中敷が装着された履物を履いて歩行すると、まず、体重が中敷の踵部に掛かり、この踵部に掛かった荷重は、踵部から外側に向かおうとするときでも、第1荷重誘導部を中敷本体部よりも軟質にしてあるので、荷重の移動方向をこの第1荷重誘導部によって、強制的に踵部の内側に向かう方向に誘導することができる。
【００１０】
これによって、荷重の掛かる位置が、中敷の踵部の外側縁部よりも内側の後部外側部から始まって、中敷の外側部を前方に移動して、装着者の小指付根の関節に対応する領域に到達する。そして、第２荷重誘導部を中敷本体部よりも軟質にしてあるので、この荷重の移動方向が、この第２荷重誘導部によって強制的に中敷の内側部に向かう方向に変更されて、中敷の母趾球部（足の親指付根の関節に対応する領域）に移動する。しかる後に、荷重の移動方向が、前方に向かう方向に変更されて、親指の先と対応する領域に到達して体重に基づく荷重の移動が終了する。
【００１１】
そして、この考案に係る履物の中敷において、前記第１荷重誘導部の平面形状は、前記中敷本体部の外側縁部から内側縁部に向かうに従って広がる形状であり、前記第２荷重誘導部の平面形状は、前記中敷本体部の長さ方向に長い略楕円形状とすることができる。
【００１２】
このように、第１荷重誘導部の平面形状を、中敷本体部の外側縁部から内側縁部に向かうに従って広がる形状としたことによって、中敷の踵部に掛かった体重に基づく荷重を、踵部から外側に向かう方向から内側に向かう方向に、滑らかに誘導することができる。これによって、歩行時に違和感なく、足裏に対して優しく正常な体重移動を自然に行うことができる。
【００１３】
そして、第２荷重誘導部の平面形状を、中敷本体部の長さ方向に長い略楕円形状としたことによって、この第２荷重誘導部に掛かっている体重に基づく荷重が、この第２荷重誘導部からその前方の中敷本体部の領域に滑らかに乗り移ることができる。
【００１４】
また、この考案に係る履物の中敷において、前記第１荷重誘導部は、１１度〜１９度の硬度を有する合成樹脂製又は天然樹脂製であり、前記第２荷重誘導部は、１度〜９度の硬度を有する合成樹脂製又は天然樹脂製であって、前記中敷本体部は、４６度〜５４度の硬度を有する合成樹脂製とすることができる。
【００１５】
このように、中敷本体部の硬度を４６度〜５４度とすることによって、この履物内に装着された中敷が、歩行時において足裏に掛かる衝撃を適度に吸収できると共に、足裏から受ける力によって、皺が生じたりよじれることを防止できる。
【００１６】
そして、第１荷重誘導部の硬度を１１度〜１９度とすることによって、歩行時において、中敷の踵部から外側に向かおうとする体重に基づく荷重の移動方向を、この第1荷重誘導部によって滑らかであって確実に踵部の内側に向かう方向に誘導することができる。
【００１７】
また、第２荷重誘導部の硬度を１度〜９度とすることによって、歩行時において、装着者の小指付根の関節に対応する中敷の領域に到達した荷重の移動方向を、この第２荷重誘導部によって滑らかであって確実に中敷の内側部に向かう方向に変更させて、中敷の母趾球部に移動させることができる。
【００１８】
更に、この考案に係る履物の中敷において、前記中敷本体部の外周縁部のうち踵側縁部、内側縁部、及び外側縁部に亘る範囲に形成された壁部を備え、前記壁部は、平面形状が略Ｕ字状であり、足の踵、内甲、及び外甲の表面に沿うように斜め上方に向かって突出する踵側壁部、内側壁部、及び外側壁部を有し、前記内側壁部が前記外側壁部よりも前記中敷本体部の爪先部側に向かう方向に長く延びる構成とすることができる。
【００１９】
このように、中敷本体部の外周縁部に踵側壁部、内側壁部、及び外側壁部を有する壁部を設け、この壁部の平面形状が略Ｕ字状になるように形成することによって、足の踵、内甲及び外甲をしっかりと保持することができ、Ｏ脚やＸ脚、又はＯ脚やＸ脚になる傾向を矯正することができる。
【００２０】
そして、内側壁部が外側壁部よりも中敷本体部の爪先部側に向かう方向に長く延びる形状としたことにより、足の踵及び土踏まずのそれぞれの内側面をしっかりと保持することができる。これによって、歩行時において、過度の内側に向かう体重に基づく荷重移動を防止することができる。更に、内側壁部は、足の土踏まずの内側面を押し上げることができるので、足の縦アーチの形成に寄与することができ、偏平足を矯正することができる。
【００２１】
そして、この考案に係る履物の中敷において、前記内側壁部は、前記第２荷重誘導部又はその手前まで延びる構成とすることができる。
【００２２】
このように、内側壁部が第２荷重誘導部又はその手前まで延びるように形成すると、歩行時において、中敷の第２荷重誘導部での屈曲をし易くすることができ、従って、足の踏付け部及び爪先の曲げをし易くすることができて、歩行がし易くなる。
【００２３】
また、この考案に係る履物の中敷において、前記中敷本体部の踏付け部の略中央部に設けられ、上方に突出する中足骨パッド部を備えるものとすることができる。
【００２４】
このように、中足骨パッド部を設けると、この中足骨パッド部が足の第２及び第３中足骨を押し上げることができるので、足の横アーチの形成に寄与することができ、偏平足を矯正することができる。そして、それぞれの中足骨を内側及び外側の両側に広げることができるので、外反母趾を矯正することができる。
【考案の効果】
【００２５】
この考案に係る履物の中敷によると、この中敷に掛かる体重に基づく荷重が、第１荷重誘導部によって強制的に中敷の踵部の外側縁部よりも内側の後部外側部から始まって、中敷の外側部を前方に移動して、装着者の小指付根の関節に対応する領域に到達し、次に、この荷重の移動方向が、第２荷重誘導部によって強制的に中敷の内側部に向かう方向に変更されて、中敷の母趾球部に移動し、しかる後に、荷重の移動方向が、前方に向かう方向に変更されて、親指の先と対応する領域に到達して体重に基づく荷重の移動が終了する構成としてある。従って、歩行時に体重が、この履物の中敷の略外側縁部上を通って踵部から爪先部に向かって移動することを防止できると共に、歩行時の正常な体重移動を自然に行うことができ、例えばＯ脚、又はＯ脚になる傾向を矯正して正常な歩行姿勢に近づけることができる。
【考案を実施するための最良の形態】
【００２６】
以下、本考案に係る履物の中敷の一実施形態を、図１〜図４を参照して説明する。この履物の中敷１１は、例えば靴内の底に装着されて使用されるものであり、歩行時に体重が、この履物の中敷１１の略外側縁部１２上を通って踵部Ｋから爪先部Ｔに向かって移動することを防止できると共に、歩行時の正常な体重移動を自然に行えるようにするものである。この履物の中敷１１は、図１（ａ）の底面図、及び図１（ｂ）の平面図に示すように、中敷本体部１３を備え、この中敷本体部１３には、第１荷重誘導部１４、及び第２荷重誘導部１５が設けられている。
【００２７】
中敷本体部１３は、図１（ａ）、（ｂ）に示すように、足形に形成された板状体であり、足の踵、土踏まず、踏付け部、及び爪先のそれぞれと対応する領域に形成されている踵部Ｋ、土踏まず部Ｍ、踏付け部Ｈ、及び爪先部Ｔを備えている。
【００２８】
第１荷重誘導部１４は、図１（ａ）、及び図３（ａ）に示すように、平面形状が略扇形の板状体であり、中敷１１の踵部Ｋの下面に形成された凹部内に貼着されている。そして、この第１荷重誘導部１４は、その下面が中敷１１の下面と高さが略一致している。
【００２９】
また、この第１荷重誘導部１４は、図１（ａ）に示すように、中心角が約４０°の扇形状であり、その円弧部１４ａが、中敷１１の踵部Ｋに形成されている半円状の踵側縁部１６と間隔を隔ててその内側に配置されている。そして、第１荷重誘導部１４の一方の半径縁部１４ｂは、中敷１１の踵部Ｋに形成されている略直線状の内側縁部１７の内側に、この内側縁部１７と間隔を隔てて略平行するように配置されている。
【００３０】
従って、第１荷重誘導部１４の平面形状は、中敷本体部１３の外側縁部１２から内側縁部１７に向かうに従って広がるように配置されている。このように、第１荷重誘導部１４は、踵部Ｋ（中敷１１）の中心よりも内側の内側部２４に設けられている。
【００３１】
第２荷重誘導部１５は、図１（ａ）、及び図４に示すように、平面形状が中敷本体部１３の長さ方向に長い略楕円形状の板状体であり、中敷１１の踏付け部Ｈに含まれる母趾球部Ｂの下面に形成された凹部内に貼着されている。そして、この第２荷重誘導部１５は、その下面が中敷１１の下面と高さが略一致している。なお。中敷１１の踏付け部Ｈに含まれる母趾球部Ｂは、足の母趾球と対応する領域に形成されている。
【００３２】
また、この第２荷重誘導部１５は、図１（ａ）に示すように、その横幅が中敷１１の横幅の約３０％であり、長さが中敷１１の長さの約１５％である。
【００３３】
更に、図１及び図２に示すように、中敷本体部１３の外周縁部のうち踵側縁部１６、内側縁部１７、及び外側縁部１２に亘る範囲に壁部１８が形成されている。
【００３４】
壁部１８は、図１及び図２に示すように、平面形状が略Ｕ字状であり、足の踵、内甲、及び外甲の表面に沿うように、斜め外側上方に向かって突出する踵側壁部１８ａ、内側壁部１８ｂ、及び外側壁部１８ｃを有している。そして、内側壁部１８ｂは、外側壁部１８ｃよりも中敷本体部１３の爪先部Ｔ側に向かう方向に寸法Ｓだけ長く延びている。なお、これら踵側壁部１８ａ、内側壁部１８ｂ、及び外側壁部１８ｃの高さは、例えば約１０ｍｍである。
【００３５】
また、内側壁部１８ｂは、第２荷重誘導部１５の手前まで延びるように形成されている。ただし、内側壁部１８ｂは、第２荷重誘導部１５の横側にまで延びるように形成してもよい。要は、この内側壁部１８ｂの爪先部Ｔに向かう方向に延びる長さは、歩行時に、この中敷１１の踏付け部Ｈ及び爪先部Ｔでの折れ曲がりを阻害しない程度の寸法にすることが好ましい。
【００３６】
また、この中敷１１には、図２（ａ）、（ｂ）に示すように、中敷本体部１３の踏付け部Ｈの略中央部に中足骨パッド部１９を設けてある。この中足骨パッド部１９は、中敷１１の上面から上方に突出する略円錐台形状に形成され、中敷本体部１３と一体に形成されている。中足骨パッド部１９の高さは、例えば約１０ｍｍである。ただし、この中足骨パッド部１９は、中敷本体部１３と一体に形成したが、これに代えて、別の部品として形成して、中敷本体部１３に取り付けてもよい。
【００３７】
更に、この中敷１１の踏付け部Ｈの下面には、図１（ａ）に示すように、複数の横溝２０、２０、・・・が形成されている。この複数の横溝２０は、歩行時に、この中敷１１の踏付け部Ｈ及び爪先部Ｔが折れ曲がり易くするためのものであり、これによって、足の踏付け部を曲げ易くすることができ、歩行がし易くなる。ただし、この複数の横溝２０に代えて、複数の突条を設けてもよい。
【００３８】
なお、中敷本体部１３及び中足骨パッド部１９の材質は、例えばＥＶＡ（エチレン・ビニル・アセテート）であり、第１荷重誘導部１４及び第２荷重誘導部１５の材質は、例えばラテックススポンジである。ただし、これ以外に、例えばポリウレタン、ポリエチレン、ポリ塩化ビニル、ポリスチレン等の発泡合成樹脂を使用してもよい。
【００３９】
そして、中敷本体部１３及び中足骨パッド部１９の硬度は、約５０度であり、好ましくは４６度〜５４度である。第１荷重誘導部１４の硬度は、約１５度であり、好ましくは１１度〜１９度である。第２荷重誘導部１５の硬度は、約５度であり、好ましくは１度〜９度である。この硬度は、Ｃ硬度計で計測された値である。
【００４０】
上記のように構成された履物の中敷１１は、靴などの履物内の底に装着して使用することができる。今、例えばＯ脚、又はＯ脚になる傾向を有する者が、この中敷１１が装着された履物を履いて歩行すると、図１（ａ）の中敷１１の底面図に示す実線矢印２１のように、まず、体重が中敷１１の踵部Ｋに掛かり、この踵部Ｋに掛かった荷重は、踵部Ｋから外側に向かおうとするときでも、第１荷重誘導部１４を中敷本体部１３よりも軟質にしてあるので、荷重の移動方向をこの第１荷重誘導部１４によって、強制的に踵部Ｋの内側に向かう方向に誘導することができる。
【００４１】
これによって、荷重の掛かる位置が、中敷１１の踵部Ｋの外側縁部１２よりも内側の後部外側部２３（外側部２３とは、中敷１１の中心よりも外側の領域を言う。）から始まって、中敷１１の外側部２３を前方に移動して、装着者の小指付根の関節に対応する領域（中敷本体部１３の小指付根部２５）に到達する。そして、第２荷重誘導部１５を中敷本体部１３よりも軟質にしてあるので、この荷重の移動方向が、この第２荷重誘導部１５によって強制的に中敷１１の内側部２４に向かう方向（中敷１１の幅方向であって内側の向き）に変更されて、中敷１１の母趾球部Ｂ（足の親指付根の関節に対応する領域）に移動する。しかる後に、荷重の移動方向が、前方に向かう方向に変更されて、親指の先と対応する領域の爪先部Ｔに到達して体重に基づく荷重の移動が終了する。
【００４２】
このように、この履物の中敷１１によると、歩行時に体重が、図１（ａ）の破線矢印２２で示すように、この履物の中敷１１の略外側縁部１２上を通って踵部Ｋから爪先部Ｔに向かって移動することを防止できると共に、実線矢印２１で示すように、歩行時の正常な体重移動を自然に行うことができ、例えばＯ脚、又はＯ脚になる傾向を矯正して正常な歩行姿勢に近づけることができる。
【００４３】
図３（ａ）は、この中敷１１の踵部Ｋに体重に基づく荷重が掛かっていない状態を示すＡ−Ａ断面図である。そして、図３（ｂ）は、この中敷１１の踵部Ｋに体重に基づく荷重が掛かっている状態を示すＡ−Ａ断面図であり、脚２６の中心線２７を内側に傾けることができ、正常な歩行姿勢に近づけることができる。
【００４４】
そして、図１（ａ）に示すように、第１荷重誘導部１４の平面形状を、中敷本体部１３の外側縁部１２から内側縁部１７に向かうに従って広がる形状としたことによって、中敷１１の踵部Ｋに掛かった体重に基づく荷重を、踵部Ｋから外側に向かう方向から内側に向かう方向に、滑らかに誘導することができる。これによって、歩行時に違和感なく、足裏に対して優しく正常な体重移動を自然に行うことができる。
【００４５】
そして、第２荷重誘導部１５の平面形状を、中敷本体部１３の長さ方向に長い略楕円形状としたことによって、この第２荷重誘導部１５に掛かっている体重に基づく荷重が、この第２荷重誘導部１５からその前方の中敷本体部１３の領域に滑らかに乗り移ることができる。
【００４６】
また、中敷本体部１３の硬度を５０度（好ましくは４６度〜５４度）とすることによって、この履物内に装着された中敷１１が、歩行時において足裏に掛かる衝撃を適度に吸収できると共に、足裏から受ける力によって、皺が生じたりよじれることを防止できる。
【００４７】
そして、第１荷重誘導部１４の硬度を１５度（好ましくは１１度〜１９度）とすることによって、図１（ａ）に示すように、歩行時において、中敷１１の踵部Ｋから外側に向かおうとする体重に基づく荷重の移動方向を、この第１荷重誘導部１４によって滑らかであって確実に踵部Ｋの内側に向かう方向に誘導することができる。
【００４８】
また、第２荷重誘導部１５の硬度を５度（好ましくは１度〜９度）とすることによって、図１（ａ）に示すように、歩行時において、装着者の小指付根の関節に対応する中敷１１の領域（小指付根部２５）に到達した荷重の移動方向を、この第２荷重誘導部１５によって滑らかであって確実に中敷１１の内側部２４に向かう方向に変更させて、中敷１１の母趾球部Ｂに移動させることができる。
【００４９】
更に、図１（ａ）に示すように、中敷本体部１３の外周縁部に踵側壁部１８ａ、内側壁部１８ｂ、及び外側壁部１８ｃを有する壁部１８を設け、この壁部１８の平面形状が略Ｕ字状になるように形成することによって、足の踵、内甲及び外甲をしっかりと保持することができ、Ｏ脚やＸ脚、又はＯ脚やＸ脚になる傾向を矯正することができる。
【００５０】
そして、内側壁部１８ｂは、外側壁部１８ｃよりも中敷本体部１３の爪先部Ｔ側に向かう方向に寸法Ｓだけ長く延びる形状としたことにより、足の踵及び土踏まずのそれぞれの内側面をしっかりと保持することができる。これによって、歩行時において、過度の内側に向かう体重に基づく荷重移動を防止することができる。更に、内側壁部１８ｂは、足の土踏まずの内側面を押し上げることができるので、足の縦アーチの形成に寄与することができ、偏平足を矯正することができる。
【００５１】
また、図１（ａ）に示すように、内側壁部１８ｂが第２荷重誘導部１５の手前まで延びるように形成してあるので、歩行時において、中敷１１の第２荷重誘導部１５での屈曲をし易くすることができ、従って、足の踏付け部及び爪先の曲げをし易くすることができて、歩行がし易くなる。
【００５２】
更に、図２（ａ）、（ｂ）に示すように、中足骨パッド部１９を設けると、この中足骨パッド部１９が足の第２及び第３中足骨を押し上げることができるので、足の横アーチの形成に寄与することができ、偏平足を矯正することができる。そして、それぞれの中足骨を内側及び外側の両側に広げることができるので、外反母趾を矯正することができる。
【００５３】
ただし、上記実施形態では、図１（ａ）に示すように、第１荷重誘導部１４の平面形状を、略扇形としたが、これ以外の形状としてもよい。要は、第１荷重誘導部１４の平面形状は、中敷本体部１３の外側縁部１２から内側縁部１７に向かうに従って広がる形状が好ましく、例えば三角形や台形としてもよい。
【００５４】
また、第１荷重誘導部１４は、中敷本体部１３の外側縁部１２から内側縁部１７に向かうに従って広がる形状とせずに、例えば円形や楕円形の１又は２以上の平板状体として、踵部Ｋの中心よりも内側の内側部２４に設けてもよい。
【００５５】
そして、第２荷重誘導部１５は、略楕円形としたが、これ以外の例えば円形や多角形としてもよい。
【産業上の利用可能性】
【００５６】
以上のように、本考案に係る履物の中敷は、歩行時に体重が、この履物の中敷の略外側縁部上を通って踵部から爪先部に向かって移動することを防止できると共に、歩行時の正常な体重移動を自然に行うことができ、例えばＯ脚、又はＯ脚になる傾向を矯正して正常な歩行姿勢に近づけることができる優れた効果を有し、このような履物の中敷に適用するのに適している。
【図面の簡単な説明】
【００５７】
【図１】この考案の一実施形態に係る履物の中敷を示す図であり、（ａ）は底面図、（ｂ）は平面図である。
【図２】同実施形態に係る履物の中敷を示す図であり、（ａ）は右側の中敷を示す斜視図、（ｂ）は左側の中敷を示す斜視図である。
【図３】同実施形態に係る履物の中敷を示す拡大端面図であり、（ａ）はＡ−Ａ拡大端面図、（ｂ）は荷重が掛かった状態を示すＡ−Ａ拡大端面図である。
【図４】同実施形態に係る履物の中敷を示すＢ−Ｂ拡大端面図である。
【符号の説明】
【００５８】
１１  履物の中敷
１２  外側縁部
１３  中敷本体部
１４  第１荷重誘導部
１４ａ  円弧部
１４ｂ  半径部
１５  第２荷重誘導部
１６  踵側縁部
１７  内側縁部
１８  壁部
１８ａ  踵側壁部
１８ｂ  内側壁部
１８ｃ  外側壁部
１９  中足骨パッド部
２０  横溝
２１  実線矢印
２２  破線矢印
２３  外側部
２４  内側部
２５  小指付根部
２６  脚
２７  中心線
Ｋ  中敷の踵部
Ｔ  中敷の爪先部
Ｍ  中敷の土踏まず部
Ｈ  中敷の踏付け部
Ｂ  中敷の母趾球部
【図１】
0003142602.tif 000003
【図２】
0003142602.tif 000004
【図３】
0003142602.tif 000005
【図４】
0003142602.tif 000006